【事件の表示】
　特願２００９−１９６２７９「入力装置」拒絶査定不服審判事件〔平成２３年　３月１０日出願公開、特開２０１１−　４８６０６〕について、次のとおり審決する。
【結　論】
　本件審判の請求は、成り立たない。
【理　由】
１．手続の経緯と本願発明
　本願は、平成２１年８月２７日の出願であって、平成２３年４月２２日付けで拒絶の理由が通知され、同年６月２４日に意見書ならびに手続補正書が提出され、平成２４年２月２３日付けで拒絶査定がなされ、同年６月６日に審判請求がなされたものである。そして、本願の特許請求の範囲の請求項１に係る発明（以下、「本願発明」という。）は、平成２３年６月２４日付け手続補正書により補正された明細書及び図面の記載からみて、その特許請求の範囲の請求項１に記載された以下のとおりのものと認める。
　
〈本願発明〉
「タッチ入力を検出するタッチセンサと、
　前記タッチセンサのタッチ面を振動させる触感呈示部と、
　前記タッチ面に対する押圧荷重を検出する荷重検出部と、
　前記タッチ面にタッチしているタッチ対象に対して触感を呈示するように前記触感呈示部の駆動を制御する制御部と、を備え、
　前記制御部は、前記タッチ対象が前記タッチ面をスライドしていると判定すると、前記タッチ対象に対してスライドに係る触感を呈示するように前記触感呈示部の駆動を制御し、
　前記荷重検出部により所定の荷重基準を満たしていない状態から満たす状態に変化する押圧荷重を検出した際に、前記タッチ対象に対して前記スライドに係る触感と異なるプッシュに係る触感を呈示するように前記触感呈示部の駆動を制御する入力装置。」
　
２．引用発明
　これに対して、原査定の拒絶の理由で引用した、特開２００６−１０７１４０号公報（平成１８年４月２０日出願公開。以下、「引用例」という。）には図面とともに以下の事項が記載されている。
　
　ａ．「【実施例６】
【０１３９】
　図１６は、第２の入出力装置を応用した第６の実施例としての携帯端末装置６００の構成例を示す斜視図である。
　図１６に示す携帯端末装置（ＰＤＡ）６００は電子機器の一例であり、入力項目選択用の表示画面上で操作者の指３０によって入力操作される触覚機能付きの入出力装置４００を備えている。入出力装置４００には本発明に係る入出力装置が使用される。携帯端末装置６００は、各種電子機器のリモコンや、電子辞書、携帯電話機、デジタルカメラ等に適用して好適である。携帯端末装置６００は、本体２０を有している。本体２０には複数の機能キー２１〜２８を有しているが、これらの機能キー２１〜２８の他にブラインドタッチ可能な入出力装置４００を有している。
【０１４０】
　
入出力装置４００は、タッチパネル６１や、表示手段６２、４つの多機能圧電アクチュエータ（以下単にアクチュエータという）１００ａ〜１００ｄ等を有して構成され、タッチパネル６１に振動的な変位を与える構造になっている。タッチパネル６１は
操作者の指３０の接触位置を検出して入力情報を出力するように動作する。例えば、操作者の指３０が表示手段６２に表示されたアイコン等を選択してそこに触れると入力情報を出力するようになされる
【０１４１】
　
表示手段６２には、メニュー画面やアイコンボタン等の入力項目が表示される。
アクチュエータ１００ａ〜１００ｄは触覚提示情報確定手段を構成し、タッチパネル６１を操作する使用者の指に触覚を提示すると共に、操作者の指３０の接触位置における、タッチパネル６１に加わる外力を検出して力検出信号を出力するように動作する
【０１４２】
　力検出信号は、タッチパネル６１で選択された入力情報を確定するようになされる。入出力装置４００において、アクチュエータ１００ａ〜１００ｄには、第１〜第３の実施例で説明した多機能圧電アクチュエータ１、１０及び３００が応用される。この例では、多機能圧電アクチュエータ１、１０及び３００のアクチュエータ機能を使用者に対する触覚提示に使用し、そのセンサ機能を使用者の入力情報収集手段として使用する（第２の入出力装置）。」（段落【０１３９】〜【０１４２】の記載。下線は当審で付与、以下同様。）
　
　ｂ．「【０１７３】
　［アクチュエータ及び力検出センサの一連の動作例］
　図２１Ａ〜Ｃは、入出力装置４００における一連の動作例及び波形例を示す図である。図２１Ｂ及びＣにおいて、横軸は時刻ｔ及び指３０の接触位置Ｘである。縦軸は振動制御波形パターンＰ１０〜Ｐ１３に基づく振動制御電圧Ｖａ及び力検出信号ＳＶｄの合成値［Ｖ］である。
【０１７４】
　第６の実施例では、
使用者がアイコン３１上を左側から右側にスライドしてアイコン３３を探し、それを選択する場合
【０１７５】
　図２１Ａにおいて、
使用者は、図中（イ）の位置、すなわち、開始点（イ）を起点に、アイコン３１の左端部から所望のアイコン３３を探し出すために、右矢印の方向に、使用者の指３０をタッチパネル６１上にスライドする。所望のアイコン３３上に指３０が到達した時点（位置）で選択動作を行なう
【０１７６】
　これらを操作条件にして、
まず、開始点（イ）において、すなわち、時刻ｔ０では、使用者がアイコン３１、３３のいずれにも触れていない状態なので、図２１Ｂに示す振動制御電圧Ｖａのレベルは０である。これは、タッチパネル面が振動制御波形パターンＰ１１等に基づく振動制御電圧Ｖａに比例して変位するが、このときは当該振動制御電圧Ｖａが０で振動がないためである。この場合、使用者は何も感じないのである。一方で力検出信号ＳＶｄとしては、使用者がタッチパネル面に軽く指３０を触れているだけなので、それに応じた力検出信号ＳＶｄが現れる。このときの力検出信号ＳＶｄは、図２１Ｃに示すように閾値を下回る電圧である
【０１７７】
　
次に、使用者が指３０をスライドさせ、時刻ｔ１で位置ｘ１のアイコン３１上に到達すると、プロセッサ５４は、メモリ５３から予め定義された振動制御波形パターンＰ１１をＤ／Ａコンバータ５２にセットする。Ｄ／Ａコンバータ５２では、プロセッサ５４によって読み出され振動パターンデータＤｐをＤ／Ａ変換した後に、アナログの振動制御信号ＳＶａを電流アンプ５６に出力する。電流アンプ５６は、振動制御信号ＳＶａに基づいて振動制御電圧Ｖａを発生する。当該振動制御電圧Ｖａは、アクチュエータ１００ａ〜１００ｄでアクチュエータとして機能する積層圧電体群１４ａ、１４ｂに供給される
【０１７８】
　
これにより、タッチパネル面ではアイコン３１に対応したクリック感のある振動が発生し、使用者の指３０に触覚刺激として提示される
【０１７９】
　
さらに、使用者が指３０を右側に移動させると、時刻ｔ２で位置ｘ２のアイコン３１から外れるので、再び、開始点（イ）と同じ状態になる。この状態は、時刻ｔ３で位置ｘ３のアイコン３３上まで行くと、そのアイコン３３に応じた振動制御波形パターンＰ１３がメモリ５３からＤ／Ａコンバータ５２にセット（出力）される。Ｄ／Ａコンバータ５２では、プロセッサ５４によって読み出され振動パターンデータＤｐをＤ／Ａ変換した後に、アナログの振動制御信号ＳＶａを電流アンプ５６に出力する
【０１８０】
　
電流アンプ５６は、振動制御信号ＳＶａに基づいて振動制御電圧Ｖａを発生する。当該振動制御電圧Ｖａは、アクチュエータ１００ａ〜１００ｄでアクチュエータとして機能する積層圧電体群１４ａ、１４ｂに供給される。これにより、タッチパネル面では振動制御波形パターンＰ１３に基づく連続的な動きを発生する動作感を感じるような振動が発生し、使用者の指３０に触覚刺激として提示される
【０１８１】
　
ここで使用者がこのアイコン３３を選択するために、時刻ｔ４で位置ｘ４のタッチパネル面を押し込む。すると、力検出信号ＳＶｄの値は押圧力Ｆに比例して大きくなる。この力検出信号ＳＶｄの値が予め設定してある、図２１Ｃに示す閾値Ｖthを超えたとき、ＣＰＵ５５は、使用者による選択がなされたと判断する。この判断をしたＣＰＵ５５は、使用者による操作を受け付けたことを示すアクナレッジ波形パターンＰ１０をメモリ５３から読み出してＤ／Ａコンバータ５２に出力する。これによって、アクナレッジ波形パターンＰ１０に基づいて急峻に立ち上るような振動が発生し、使用者は自分の選択行為がＣＰＵ５５に受け付けられたことを知る（確認）することができる
　
　してみると、引用例に記載された発明（以下、「引用発明」という。）は、以下のとおりのものである。
　
〈引用発明〉
　入出力装置４００は、タッチパネル６１や、表示手段６２、４つの多機能圧電アクチュエータ（以下単にアクチュエータという）１００ａ〜１００ｄ等を有して構成され、タッチパネル６１に振動的な変位を与える構造になっており、
　タッチパネル６１は、操作者の指３０の接触位置を検出して入力情報を出力するように動作し、操作者の指３０が表示手段６２に表示されたアイコン等を選択してそこに触れると入力情報を出力するようになされ、
　表示手段６２には、メニュー画面やアイコンボタン等の入力項目が表示され、
　アクチュエータ１００ａ〜１００ｄは触覚提示情報確定手段を構成し、タッチパネル６１を操作する使用者の指に触覚を提示すると共に、操作者の指３０の接触位置における、タッチパネル６１に加わる外力を検出して力検出信号を出力するように動作するもので、
　使用者がアイコン３１上を左側から右側にスライドしてアイコン３３を探し、それを選択する場合、使用者は、図中（イ）の位置、すなわち、開始点（イ）を起点に、アイコン３１の左端部から所望のアイコン３３を探し出すために、右矢印の方向に、使用者の指３０をタッチパネル６１上にスライドし、所望のアイコン３３上に指３０が到達した時点（位置）で選択動作を行なう場合、
　まず、開始点（イ）において、すなわち、時刻ｔ０では、使用者がアイコン３１、３３のいずれにも触れていない状態なので、図２１Ｂに示す振動制御電圧Ｖａのレベルは０であり、これは、タッチパネル面が振動制御波形パターンＰ１１等に基づく振動制御電圧Ｖａに比例して変位するが、このときは当該振動制御電圧Ｖａが０で振動がないためであり、この場合、使用者は何も感じず、このとき検出信号ＳＶｄとしては、使用者がタッチパネル面に軽く指３０を触れているだけなので、それに応じた力検出信号ＳＶｄが現れ、このときの力検出信号ＳＶｄは、図２１Ｃに示すように閾値を下回る電圧であり、
　次に、使用者が指３０をスライドさせ、時刻ｔ１で位置ｘ１のアイコン３１上に到達すると、プロセッサ５４は、メモリ５３から予め定義された振動制御波形パターンＰ１１をＤ／Ａコンバータ５２にセットし、Ｄ／Ａコンバータ５２では、プロセッサ５４によって読み出され振動パターンデータＤｐをＤ／Ａ変換した後に、アナログの振動制御信号ＳＶａを電流アンプ５６に出力し、電流アンプ５６は、振動制御信号ＳＶａに基づいて振動制御電圧Ｖａを発生し、当該振動制御電圧Ｖａは、アクチュエータ１００ａ〜１００ｄでアクチュエータとして機能する積層圧電体群１４ａ、１４ｂに供給され、
、これにより、タッチパネル面ではアイコン３１に対応したクリック感のある振動が発生し、使用者の指３０に触覚刺激として提示され、
　さらに、使用者が指３０を右側に移動させると、時刻ｔ２で位置ｘ２のアイコン３１から外れるので、再び、開始点（イ）と同じ状態になり、この状態は、時刻ｔ３で位置ｘ３のアイコン３３上まで行くと、そのアイコン３３に応じた振動制御波形パターンＰ１３がメモリ５３からＤ／Ａコンバータ５２にセット（出力）され、Ｄ／Ａコンバータ５２では、プロセッサ５４によって読み出され振動パターンデータＤｐをＤ／Ａ変換した後に、アナログの振動制御信号ＳＶａを電流アンプ５６に出力し、電流アンプ５６は、振動制御信号ＳＶａに基づいて振動制御電圧Ｖａを発生し、当該振動制御電圧Ｖａは、アクチュエータ１００ａ〜１００ｄでアクチュエータとして機能する積層圧電体群１４ａ、１４ｂに供給され、これにより、タッチパネル面では振動制御波形パターンＰ１３に基づく連続的な動きを発生する動作感を感じるような振動が発生し、使用者の指３０に触覚刺激として提示され、
　ここで使用者がこのアイコン３３を選択するために、時刻ｔ４で位置ｘ４のタッチパネル面を押し込むと、力検出信号ＳＶｄの値は押圧力Ｆに比例して大きくなり、この力検出信号ＳＶｄの値が予め設定してある、図２１Ｃに示す閾値Ｖthを超えたとき、ＣＰＵ５５は、使用者による選択がなされたと判断し、この判断をしたＣＰＵ５５は、使用者による操作を受け付けたことを示すアクナレッジ波形パターンＰ１０をメモリ５３から読み出してＤ／Ａコンバータ５２に出力し、これによって、アクナレッジ波形パターンＰ１０に基づいて急峻に立ち上るような振動が発生し、使用者は自分の選択行為がＣＰＵ５５に受け付けられたことを知る（確認）することができる、
　入出力装置。
　
３．対比・判断
　本願発明と引用発明とを対比する。
　引用発明の「タッチパネル」は、「操作者の指３０の接触位置を検出して入力情報を出力するように動作」するものであるので、本願発明の「タッチ入力を検出するタッチセンサ」を具備することは、明らかである。
　引用発明の「アクチュエータ」は、「タッチパネル６１を操作する使用者の指に触覚を提示すると共に、操作者の指３０の接触位置における、タッチパネル６１に加わる外力を検出して力検出信号を出力するように動作する」ことから、本願発明の「触感呈示部」と、「荷重検出部」に相当する。
　引用発明の「操作者の指」は、本願発明の「タッチ対象」に相当し、引用発明の「閾値Ｖth」は、本願発明の「所定の荷重基準」に相当する。
　引用発明の「ＣＰＵ５５」及び「プロセッサ５４」は、協働して、タッチ対象の動作を判断し、「アクチュエータ」へ振動信号を出力する制御を行うことから、本願発明の「制御部」に相当する。
　そして、引用発明の「使用者がこのアイコン３３を選択するために、時刻ｔ４で位置ｘ４のタッチパネル面を押し込むと、力検出信号ＳＶｄの値は押圧力Ｆに比例して大きくなり、この力検出信号ＳＶｄの値が予め設定してある、図２１Ｃに示す閾値Ｖthを超えたとき、ＣＰＵ５５は、使用者による選択がなされたと判断し、この判断をしたＣＰＵ５５は、使用者による操作を受け付けたことを示すアクナレッジ波形パターンＰ１０をメモリ５３から読み出してＤ／Ａコンバータ５２に出力し、これによって、アクナレッジ波形パターンＰ１０に基づいて急峻に立ち上るような振動が発生し、使用者は自分の選択行為がＣＰＵ５５に受け付けられたことを知る（確認）することができる」ことは、本願発明の「荷重検出部により所定の荷重基準を満たしていない状態から満たす状態に変化する押圧荷重を検出した際に、前記タッチ対象に対して前記スライドに係る触感と異なるプッシュに係る触感を呈示するように前記触感呈示部の駆動を制御する」ことと、「荷重検出部により所定の荷重基準を満たしていない状態から満たす状態に変化する押圧荷重を検出した際に、前記タッチ対象に対して触感を呈示するように前記触感呈示部の駆動を制御する」点で共通している。
　
　したがって、両者は、以下の一致点と相違点とを有する。
　
〈一致点〉
　タッチ入力を検出するタッチセンサと、
　前記タッチセンサのタッチ面を振動させる触感呈示部と、
　前記タッチ面に対する押圧荷重を検出する荷重検出部と、
　前記タッチ面にタッチしているタッチ対象に対して触感を呈示するように前記触感呈示部の駆動を制御する制御部と、を備え、
　前記荷重検出部により所定の荷重基準を満たしていない状態から満たす状態に変化する押圧荷重を検出した際に、前記タッチ対象に対して触感を呈示するように前記触感呈示部の駆動を制御する入力装置。
　
〈相違点１〉
　本願発明では、「前記制御部は、前記タッチ対象が前記タッチ面をスライドしていると判定すると、前記タッチ対象に対してスライドに係る触感を呈示するように前記触感呈示部の駆動を制御」するのに対し、引用発明では、「使用者がアイコン３１上を左側から右側にスライドしてアイコン３３を探し、それを選択する場合」において、「使用者がアイコン３１、３３のいずれにも触れていない状態」には、振動させず、アイコン３１，３３に到達した場合に、振動させ、「使用者の指３０に触覚刺激として提示する」点。
　
〈相違点２〉
　本願発明では、「前記荷重検出部により所定の荷重基準を満たしていない状態から満たす状態に変化する押圧荷重を検出した際に、前記タッチ対象に対して
前記スライドに係る触感と異なるプッシュに係る
急峻に立ち上るような振動
　
　相違点につき検討する。
〈相違点１について〉
　一般に、タッチパネルを用いて、指先等で入力操作を行う装置において、操作の態様を判定し、その結果に応じて振動の態様を変え、ユーザに対して何が行われているのか報知するようにすることは、周知の事項である。
　
　例えば、特開２００２−１４９３１２号公報（以下、「周知例１」という。）には、以下の記載がある。
　
　ｃ．「【０１６７】［Ｆ−２．第２例］図３８および図３９は、ＰＤＡ１０の表示画面に表示されたアイコンをタッチパネル１０２に対するタッチ操作によりドラッグし、ゴミ箱に移す作業を行っている状態を例示する図である。なお、ここで言うゴミ箱とは、データの削除を指令するアイコンのことである。
【０１６８】まず、ユーザがタッチパネル１０２に対するタッチ操作によりドラックしたいアイコンを選択すると、ＰＤＡ１０のＣＰＵ１１３は、タッチ位置を検出し、そのタッチ操作がアイコンの選択を指令したものであると特定する。ＰＤＡ１０のメモリ１１２には、図４０に示すように、操作入力が指示する指令の種類毎に振動アクチュエータ１１５に印加する駆動信号の波形データが格納された波形データテーブル１１２ｂが記憶されている。
【０１６９】ＣＰＵ１１３は、この波形データテーブル１１２ｂから「アイコンの選択」に対応付けられた波形データを読み出して振動アクチュエータ１１５を駆動する。したがって、タッチ操作を行ったユーザの指先やＰＤＡ１０を把持するユーザの手には、アイコンの選択が行われたことを示す振動が与えられる。
【０１７０】また、
図３８に示すように、ユーザが指先をタッチパネル１０２に接触させたまま移動させ、選択したアイコンをドラッグしている場合、ＣＰＵ１１３は、そのタッチ操作がアイコンのドラッグを指令したものであると特定する。したがって、ＣＰＵ１１３は、波形データテーブル１１２ｂから「ドラッグ」に対応付けられた波形データを読み出して振動アクチュエータ１１５を駆動する。これにより、ユーザにはドラック中であることを示す振動が与えられる。例えば、ドラッグ中の場合には、弱めの振動を継続して与えることなどが好ましい
　
　ｄ．「【０１８０】［Ｇ．第７実施形態］本実施形態では、
タッチパネルに対するタッチ操作の押圧レベルに応じて、タッチ操作が受付けられたことを異なる形態の振動でユーザへ報知する電子機器
【０１８１】本実施形態においてＰＤＡ１０が有するタッチパネルは、ユーザの指先がタッチパネルに触れている状態（以下、本実施形態では、この操作をタッチ操作と述べる）と、指先が所定の押圧レベル以上の力でタッチパネルを押圧している状態（以下、本実施形態では、押圧操作と述べる）との２つの操作状態を検出することができる。タッチパネルは、タッチ操作の場合と押圧操作の場合とでＣＰＵ１１３に出力するタッチ信号の種類を異ならせる。
【０１８２】また、本実施形態に係るＰＤＡ１０のメモリ１１２には、図４６に示す波形データテーブル１１２ｄが格納されている。この波形データテーブル１１２ｄは、図３２に示したタッチボタンの画面表示例に対応するものである。波形データテーブル１１２ｄには、各タッチボタン毎に、このタッチボタンのエリアデータと、このタッチボタンがタッチ操作された場合および押圧操作された場合に振動アクチュエータ１１５に印加するそれぞれの波形データが格納されている。
【０１８３】
このような構成を有するＰＤＡ１０において、タッチパネルに対するタッチ操作が行われると、タッチパネルは、タッチ操作が行われたことを示すタッチ信号をＣＰＵ１１３に出力する。ＣＰＵ１１３は、タッチ信号に基づいてタッチ位置の座標データを求め、波形データテーブル１１２ｄを参照して操作されたタッチボタンを特定する。次いで、ＣＰＵ１１３は、特定したタッチボタンに対応付けられたタッチ操作用の波形データを波形データテーブル１１２ｄから読み出す。そして、ＣＰＵ１１３は、読み出した波形データにより生成される駆動信号を用いて振動アクチュエータ１１５を駆動する。また、タッチパネルに対する押圧操作が行われた場合も同様である。ＣＰＵ１１３は、操作されたタッチボタンに対応付けられた押圧操作用の波形データを波形データテーブル１１２ｄから読み出して振動アクチュエータ１１５を駆動する
【０１８４】このような構成とすることにより、
例えば、ユーザが指先でタッチパネルを押圧せずに触れた状態のまま移動させ、タッチボタンの位置を探っている場合には、ＰＤＡ１０は、指先が触れているタッチボタンの種類に対応付けられたタッチ操作用の振動をユーザに与える。すなわち、タッチボタンの位置をユーザが探している状態においては、例えば、タッチボタンの種類毎に異なる微弱な振動がユーザに与えられる。一方、ユーザが所望のタッチボタンを探り当て、このタッチボタンを押圧操作した場合には、ＰＤＡ１０は、このタッチボタンの種類に対応付けられた押圧操作用の振動をユーザに与える。すなわち、ユーザがタッチボタンを押すと、この操作が受付けられたことを示す振動がユーザに与えられる
　
　また、特開２００４−１１０３８８号公報（以下、「周知例２」という。）には、以下の記載がある。
　
　ｅ．「【００１７】
【課題を解決するための手段】
上記目的を達成するために本発明は、本体またはタッチパネルの少なくとも一方を機械的に駆動する駆動手段を有し、上記タッチパネルの弱押圧操作の有無と弱押圧検出座標値を弱押圧検出手段によって検出する。また、上記タッチパネルの上記弱押圧と区別して、強押圧操作の有無を強押圧検出手段によって検出する。そして、上記弱押圧検出手段により検出された弱押圧検出座標値に応じて、第１の制御手段によって、上記駆動手段を制御し、第１の機械的駆動を行わせる。また、上記強押圧検出手段の強押圧操作の有無の検出に応じて、第２の制御手段によって、上記駆動手段を制御し、上記第１の機械的駆動とは異なる第２の機械的駆動を行わせる。つまり、
操作者のタッチパネル表面への操作圧力、あるいは、押し込み距離の差によって、上記弱押圧操作に対して上記強押圧操作を区別して検出する。そして、上記弱押圧検出手段による弱押圧検出座標値に応じて第１の機械的駆動を行うように、第１の制御手段で上記駆動手段の制御を行う。また、上記強押圧検出手段の検出結果（強押圧操作の有無）に応じて、第１の機械的駆動とは異なる第２の機械的駆動を行うように、第２の制御手段で上記駆動手段の制御を行う
【００１８】
操作者は、例えば機械的な入力スイッチの操作を行う場合、上記入力スイッチ（あるいは操作面）を軽くなぞる操作、すなわち、弱押圧操作を行うことで、上記入力スイッチの位置やスイッチの領域を触覚で知覚し、続いて、上記入力スイッチを押し込む操作、すなわち強押圧操作を行うことで、入力を行おうとする。同じようにタッチパネルにおいても、操作者は、上記タッチパネルを軽くなぞる弱押圧操作を行うことで、入力スイッチの位置と領域を知覚しようとする
【００１９】
上記構成のタッチパネルを有する装置によれば、操作者は、タッチパネル上でのスイッチの位置を確かめるための軽く触る動作の弱押圧操作と、現在の場所で入力を行う旨の押し込む動作の強押圧操作を、タッチパネルから手を放すことなく、速やかに連続して行うことができる。そのとき、操作者が自分の操作を正しく装置が検出していることを機械的駆動の違いにより知覚できる。
【００２０】
また、操作者は、上記第１の機械的駆動と上記第２の機械的駆動によって、なぞっている位置に関する情報、及び、弱押圧操作を行っているのか、強押圧操作を行っているのかの情報を知覚することができ、操作時のタッチパネル面への操作位置、及び、操作圧力、あるいは、押し込み距離の加減の学習が自然とできる。つまり、目視による知覚から後の入力までの操作が、弱押圧操作から強押圧操作まで連続した触覚として途切れることなく知覚されるので、上記の加減の学習が自然とできるのである。」（段落【００１７】〜【００２０】の記載。）
　
　さらに、特開２００５−６２０４３号公報（以下、「周知例３」という。）には、以下の記載がある。
　
　ｆ．「【００３８】
　ナビゲーション装置１においては、
ユーザによる液晶画面３ａ上のなぞり操作の長さに応じてスクロール動作する地図画像の縮尺率が次第に大きくなり、地図画像のスクロール動作が速く行われるようになる
【００３９】
　ナビゲーション装置１においては、図５の矢印ｂに示すようにユーザが液晶画面３ａ上においてポイントＰ３からポイントＰ４へ移動するなぞり操作を行った場合には、画像情報処理部１２においてナビゲーション情報に対して第１の広域化処理が施されて地図画像のスクロール動作が行われる。ナビゲーション装置１においては、第１の広域化処理が施されることによって、地図画像が例えば縮尺１００ｍの表示から縮尺２００ｍの表示に変更されてスクロール動作が行われる。
【００４０】
　ナビゲーション装置１においては、図５の矢印ｃに示すようにユーザがポイントＰ５からポイントＰ６のなぞり操作を行った場合には、画像情報処理部１２においてナビゲーション情報に対して第２の広域化処理が施されて地図画像のスクロール動作が行われる。第２の広域化処理は、地図画像を例えば縮尺１００ｍの表示から縮尺２００ｍの表示を経て縮尺３００ｍの表示の３段階に変更してスクロール動作が行われるようにする。
【００４１】
　ナビゲーション装置１においては、図５の矢印ｄに示すようにユーザがポイントＰ５からポイントＰ６のなぞり操作を行った場合には、画像情報処理部１２においてナビゲーション情報に対して第３の広域化処理が施されて地図画像のスクロール動作が行われる。第３の広域化処理は、地図画像が例えば縮尺１００ｍの表示から縮尺２００ｍの表示と縮尺３００ｍの表示を経て縮尺５００ｍの４段階に変更してスクロール動作が行われるようにする。
【００４２】
　なお、ナビゲーション装置１においては、上述した地図画像の縮尺率を自動変更しながらのスクロール動作機能について、各操作部を介して設定・解除の操作を行うことが可能に構成される。また、ナビゲーション装置１においては、地図画像が所定のスクロール動作が行われた時点で初期画面の縮尺率に自動復帰するようにしたが、大きな縮尺率のままとするようにしてもよく、各操作部を介して設定・解除の操作を行うことが可能に構成される。
【００４３】
　
ナビゲーション装置１においては、上述した地図画像のスクロール動作に際して、制御処理部８から画像情報処理部１２に出力される縮尺率変更の制御信号とともに振動子１６に対して駆動信号が出力される。ナビゲーション装置１においては、振動子１６が駆動されることによってモニタ筐体１４が振動することで、ユーザがこれを知覚する
　
　また、国際公開第２００９／５２０２８号（以下、「周知例４」という。）には、以下の記載がある。
　
　ｇ．「[0058] Tactile feedback is provided when the user 102 locates an edge of page 322 by touching the touch screen 310 in a similar manner as that described above in the text accompanying FIGs 8A and 8B. Additional tactile feedback forces can be applied with device 305 as the virtual page is being turned, for example, to simulate the feeling the user 102 might experience when turning a real page (e.g., overcoming a small amount of air resistance, stiffness of the page and/or binding in the book, etc., as the page is turned).」（第１４頁段落[0058] の記載。）
（訳は、特表２０１１−５０１２９８号公報、段落【００４４】を参照。「【００４４】
　ユーザ１０２が、図８Ａおよび８Ｂに伴う文において上記に説明されたもとの同じ方法で、
タッチ画面３１０を触ることによってページ３２２の端部を見つけたときに、触覚フィードバックを与える。仮想ページがめくられるときに、例えば、ユーザ１０２が本物のページをめくるときに体験するかもしれない感じ（例えば、ページをめくるときの、少量の空気抵抗の受け止め、ページの硬さおよび／または本の縛り具合など）をシミュレートするために、付加的な触力覚フィードバックをデバイス３０５に適用する
　
　そして、引用発明におけるスライド動作は、操作の一態様（上記の周知例１のｃ、周知例２、周知例３、周知例４には、操作の一態様として操作面に接触しながら動かす操作（本願発明の「スライド動作」に相当。）が記載されている。）であること、また、スライド動作が行われていることを、ユーザに報知することも、先の周知例１のｃ、周知例３等にも示されているように知られていることを考慮すれば、引用発明におけるスライド動作を判定し、スライド動作が行われていることを報知するために、スライド報知に係る振動を発生させるようにし、スライド動作していることを触感で呈示する様にし、相違点１に係る構成とすることは、容易になし得ることである。
　
〈相違点２について〉
　タッチパネルを用いて、指先等で入力操作を行う装置において、指先で強くタッチ対象を押圧した場合に、今までとは異なる振動（急峻に立ち上るような振動）を発生させることは、引用例に示されており、そして、これは、明示されてはいないが、本願発明のプッシュに係る触感と言えるものである。
　したがって、引用発明の相違点２に係る構成は、本願発明の構成と実質的に相違していない。
　
　また、本願発明の構成により奏する作用効果は、引用発明及び当該技術分野における周知技術から奏される作用効果からみて格別のものであるともいえない。
　
　したがって、本願発明は、引用発明に基づき当業者が容易に発明をすることができた発明である。
　
４．むすび
　以上のとおり、本願発明は、上記引用例記載された発明及び周知技術に基づいて、当業者が容易に発明をすることができた発明であるから、特許法第２９条第２項の規定により特許を受けることができない。
　
　よって、結論のとおり審決する。